(57)【特許請求の範囲】
【請求項１】
カバン本体（２）と、垂れ蓋（３）又は延長部（３１）のそれぞれに設けられた雌雄連結部材（６，７；６Ａ，７Ａ）からなる蓋止め具（５，５Ａ）であって、
前記雌部材（７，７Ａ）は、板状で、中央に長手方向に伸びる中央スリット（７３，７３Ａ）があり、その中央スリット（７３，７３Ａ）から左右に枝状スリット（７４，７４Ａ）が複数対延びており、
前記雄部材（６，６Ａ）は、係合突起（６５１，６５１Ａ）を有する係合部材（６５，６５Ａ，６５Ｂ）と、この係合突起（６５１，６５１Ａ）を上方に付勢する弾性体（６１，６１Ａ）と、係合操作を行う操作部材（６７，６７Ａ）を有し、
前記係合突起（６５１，６５１Ａ）と前記枝状スリット（７４，７４Ａ）が選択的に係合可能であり、
前記操作部材（６７，６７Ａ）によりその選択位置が維持され、
前記係合部材（６５，６５Ａ，６５Ｂ）の前記係合突起（６５１，６５１Ａ，６５１Ｂ）の断面が垂直面と斜面からなるほぼ三角形状である
ことを特徴とする蓋止め具（５，５Ａ）。
【請求項２】
前記枝状スリット（７４，７４Ａ）の数が３対〜１０対である請求項１記載の蓋止め具（５，５Ａ）。
【請求項３】
前記係合突起（６５１）を上方に付勢する前記弾性体（６１）が、一端に立ち上がり部（６１２）を有する板バネである請求項１又は２記載の蓋止め具（５）。
【請求項４】
前記係合突起（６５１Ａ，６５１Ｂ）を有する前記係合部材（６５Ａ，６５Ｂ）が２つ設けられ、それぞれの係合突起（６５１Ａ，６５１Ｂ）が前記雌部材（７Ａ）の前記枝状スリット（７４Ａ）の２つと同時に係合可能である請求項１ないし３の何れかに記載の蓋止め具（５Ａ）。
【請求項５】
前記係合突起（６５１Ａ，６５１Ｂ）を上方に付勢する前記弾性体（６１Ａ）が、両端に立ち上がり部（６１２Ａ，６１２Ｂ）を有する板バネである請求項３記載の蓋止め具（５Ａ）。
【請求項６】
カバン本体（２）と、垂れ蓋（３）又は延長部（３１）のそれぞれに設けられた雌雄連結部材（６Ｃ，７Ｃ）からなる蓋止め具（５Ｃ）であって、
前記雌部材（７Ｃ）は、板状で、中央に長手方向に伸びる中央スリット（７３Ｃ）があり、左右側部の延長部外端にそれぞれ切り込み（７６）が複数対設けられており、
前記雄部材（６Ｃ）は、係合突起（６５４）を有する係合部材（６５Ｃ）と、この係合突起（６５４）を上方に付勢する弾性体（６１Ｃ）と、係合操作を行う操作部材（６７Ｃ）を有し、
前記係合突起（６５４）と前記切り込み（７６）が選択的に係合可能であり、
前記操作部材（６７Ｃ）によりその選択位置が維持され、
前記係合部材（６５Ｃ）の前記係合突起（６５４）の断面が垂直面と斜面からなるほぼ三角形状である
ことを特徴とする蓋止め具（５Ｃ）。
【請求項７】
前記切り込み（７６）の数が３対〜１０対である請求項６記載の蓋止め具（５Ｃ）。  
【請求項８】
前記係合突起（６５４）を上方に付勢する前記弾性体（６１Ｃ）が、両端に立ち上がり部を有する線バネである請求項７記載の蓋止め具（５Ｃ）。
【請求項９】
係合操作を行う前記操作部材（６７，６７Ａ，６７Ｃ）が、直方体状の操作つまみ（６７１，６７１Ａ）と、その操作つまみの下部に設けられた四角柱状の脚部（６７２，６７２Ａ）を有するものであり、この四角柱状の脚部（６７２，６７２Ａ）にＵ字状針金バネ（６３，６３Ａ）を接触させることにより、四角柱状の脚部（６７２，６７２Ａ）が９０度毎の回転が可能となる請求項１ないし８の何れかに記載の蓋止め具（５，５Ａ，５Ｃ）。
【請求項１０】
雌雄部材の仮固定のために、永久磁石（６４，６４Ａ，６４Ｃ）が設けられている請求項１ないし９の何れかに記載の蓋止め具（５，５Ａ，５Ｃ）。
【請求項１１】
前記雄部材全体がスリット（６６３，６６３Ａ，６６３Ｂ，６６４）を有する外枠（６６，６６Ａ，６６Ｃ）内に収容されており、そのスリット（６６３，６６３Ａ，６６３Ｂ，６６４）から前記係合突起（６５１，６５１Ａ，６５１Ｂ，６５４）が突出している請求項１ないし１０の何れかに記載の蓋止め具（５，５Ａ，５Ｃ）。
【請求項１２】
請求項１ないし１１の何れかに記載の蓋止め具（５，５Ａ，５Ｃ）を有することを特徴とするランドセル。
【発明の詳細な説明】
【技術分野】
【０００１】
本発明は、カバンの蓋止め具に関する。例えば、ランドセルの本体下部と垂れ蓋下部の双方に取り付けられている雌雄連結具からなる蓋止め具に関する。以下の説明では、ランドセルの蓋止め具を例にして説明する。
【背景技術】
【０００２】
周知のように、ランドセルは、ほぼ四角柱状の中空本体と、その本体の上部及び外部を覆う垂れ蓋と、垂れ蓋の延長部と、着用者の背中に固定するためのストラップからなる。本体と垂れ蓋の延長部とが蓋止め具により固定されることにより、本体の内容物が安定的に収納される。
【０００３】
本体に内容物が多いときと少ないときとでは、垂れ蓋の緊張度が変化し、蓋止め具の位置が微妙にずれてくる。内容物が少ないときに、それを無視して雌雄連結具を接続すると、垂れ蓋に緊張がなくなり、着用者の歩行と共に、内容物が本体内部でガタガタ動くことがある。現在のランドセルは、そのような事態に備えて、雌部材側の固定位置を２段階に調整可能としているのが普通である（下記特許文献１〜４参照）。
【特許文献１】特開２００１−１４９１２７
【特許文献２】特開２００１−２５２１２１
【特許文献３】特開２００４−３５７７６６
【特許文献４】実公平２−３０５９５号
【発明の開示】
【発明が解決しようとする課題】
【０００４】
上記従来技術では、雌部材側の固定位置は２段階に調整する。しかし、２段階はあまりにも大雑把であり、もっときめ細かい調整が望まれるときがある。本発明では、雌部材側の固定位置が少なくとも３〜５段階に調整可能なランドセル等カバンの蓋止め具を提供することを目的とする。
【課題を解決するための手段】
【０００５】
請求項１に係る本発明は、カバン本体と、垂れ蓋又は延長部のそれぞれに設けられた雌雄連結部材からなる蓋止め具であって、雌部材は、板状で、中央に長手方向に伸びる中央スリットがあり、その中央スリットから左右に枝状スリットが複数対延びており、雄部材は、係合突起を有する係合部材と、この係合突起を上方に付勢する弾性体と、係合操作を行う操作部材を有し、前記係合突起と前記枝状スリットが選択的に係合可能であり、前記操作部材によりその選択位置が維持され、前記係合部材の前記係合突起の断面が垂直面と斜面からなるほぼ三角形状であることを特徴とする蓋止め具である。
【０００６】
請求項７に係る本発明は、カバン本体と、垂れ蓋又は延長部のそれぞれに設けられた雌雄連結部材からなる蓋止め具であって、前記雌部材は、板状で、中央に長手方向に伸びる中央スリットがあり、左右側部の延長部外端にそれぞれ切り込みが複数設けられており、前記雄部材は、係合突起を有する係合部材と、この係合突起を上方に付勢する弾性体と、係合操作を行う操作部材を有し、前記係合突起と前記切り込みが選択的に係合可能であり、前記操作部材によりその選択位置が維持され、前記係合部材の前記係合突起の断面が垂直面と斜面からなるほぼ三角形状であることを特徴とする蓋止め具である。
【発明の効果】
【０００７】
本発明によれば、係合突起と枝状スリット又は切り込みが選択的に係合可能であり、枝状スリット又は切り込みは３対〜５対程度設けられているため、雌部材側の固定位置が少なくとも３〜５段階に調整可能となる。
【発明を実施するための最良の形態】
【０００８】
枝状スリット又は切り込みの数は３対〜１０対程度が好ましく、３対〜５対が最も好ましい。２対では従来技術と変わらず、１０対以上はスペース的に困難であるからである。
【０００９】
係合部材の係合突起は、断面が垂直面と斜面からなるほぼ三角形状であることが好ましい。斜面には抵抗力はないが、垂直面には抵抗力があるので、係合の方向を決定することができるからである。「ほぼ三角形状」の断面には、斜面が直線だけでなく、曲線状のものも含まれる。例えば、１／４円形のような形状も含まれる。また、角部に丸みを付けたものも含まれる。
【００１０】
係合突起を有する前記係合部材を２つ設けて、それぞれの係合突起が前記雌部材の前記枝状スリット又は切り込みと同時に係合させることもできる。このようにすることにより、雌雄部材の係合が確かなものとなる。
【００１１】
この係合突起を上方に付勢する弾性体としては、一端に立ち上がり部を有する板バネが好ましいが、コイルバネや線バネなども使用可能である。前記係合部材を２つ設けるときには、板バネの両端に立ち上がり部を設ければよい。
【００１２】
係合操作を行う操作部材は、直方体状の操作つまみと、その操作つまみの下部に設けられた四角柱状の脚部を有するものとすることが好ましい。この四角柱状の脚部にＵ字状針金バネを接触させることにより、四角柱状の脚部は９０度毎の回転が可能となる。したがって、操作つまみも９０度毎の回転が可能となり、前記中央スリットと向きが一致するとき、雌雄部材の係合が解除され、一致しないときにはその係合が維持される。
【００１３】
雌雄部材の仮固定のために、永久磁石を設定しておくことが好ましい。雌雄部材の係合を忘れても仮固定があれば、両者の軽い係合は可能だからである。
【００１４】
雄部材全体をコンパクトに収容し、見栄えをよくするために外枠内に収容し、そのスリットから前記係合突起が突出させるのが好ましい。
【００１５】
以下、添付の図面に基づき、本発明の実施例を説明する。
【実施例１】
【００１６】
図１は、本発明の蓋止め具を装着したランドセル１の底面の斜視図である。ランドセル１は、ほぼ四角柱状の中空本体２と、その本体２の上部及び外部を覆う垂れ蓋３と、垂れ蓋の延長部３１と、着用者の背中に固定するためのストラップ４からなる。本体２と垂れ蓋の延長部３１とが蓋止め具５により固定されることにより、本体２の内容物が安定的に収納される。
【００１７】
蓋止め具５は、雄部材６側がランドセル本体２の底部に固着され、雌部材７側が垂れ蓋延長部３１の先端に取り付けられている。
【００１８】
図２は蓋止め具５の拡大斜視図であり、図３は分解途中の斜視図、図４は分解斜視図である。
【００１９】
図４から明らかなように、雌部材７は板状であり、先端に指掛け部７１、後端に垂れ蓋延長部３１との連結部７２が設けられている。雌部材７の中央には、長手方向に伸びる中央スリット７３があり、その中央スリット７３から左右に枝状スリット７４が平行に各４本ずつ延びている。
【００２０】
雄部材６は、図４に示すように７つの部材からなる。図４において下から、板バネ６１、本体６２、Ｕ字状針金バネ６３、一対の丸形磁石６４、係合部材６５、外枠６６、及び操作部材６７である。
【００２１】
板バネ６１は、金属製で、中央に貫通孔６１１を有し、一端に立ち上がり部６１２を有する。
【００２２】
本体６２は、合成樹脂製で、左右端部に盛り上がり部６２１を、中央に収納スペース６２２を形成している。この収納スペース６２２には、先端側の矩形開口６２３と中央の貫通孔６２４が設けられると共に、Ｕ字状針金バネ６３が収容されている。さらに、このＵ字状針金バネ６３の位置決定のために突起６２５が設けられている。一対の丸形磁石６４は、盛り上がり部６２１に形成された丸形窪み６２６に収容されている。磁石６４は、垂れ蓋３を近づけただけで、雌雄連結部材５同士が仮接着するようにするためのものである。
【００２３】
図６に示すように、矩形開口６２３には、板バネ６１の立ち上がり部６１２が嵌合し、その上に位置する係合部材６５を常時、上方向に付勢している。
【００２４】
係合部材６５は、先端側に係合突起６５１を有し、後端側が肉厚部６５２となっている。係合突起６５１は、中央の隆起部の左右に位置しており、断面が垂直面と斜面からなる三角形状である。
【００２５】
係合突起６５１は、板バネ６１による上方向の付勢力を常時、受けているので、障害物がなければ（すなわち雌部材の枝状スリット７４の位置では）、枝状スリット７４から立ち上がる（図６の（ａ）及び（ｃ）参照）。しかし、その枝状スリット７４以外の位置では、雌部材７により押さえつけられた状態にある（図６の（ｂ）参照）。
【００２６】
以上の雄側部材６を、外枠６６が押さえ付けるようにして、ランドセル本体２に固定させている。外枠６６は、雌部材７とは直角方向に伸びる楕円状の金具である。両端にストラップ４との接続部材６６１が形成され、中央には、貫通孔６６２と、長手方向に伸びるスリット６６３が形成されている。
【００２７】
外枠６６、本体６２、板バネ６１を貫くようにして、操作部材６７が設定される。操作部材６７は、直方体状の操作つまみ６７１と、その操作つまみの下部に設けられた四角柱状の脚部６７２と円柱状の先端６７３からなる。脚部６７２と円柱状の先端６７３は外枠６６、本体６２、板バネ６１のそれぞれの貫通孔６６２、６２４、６１１を貫き、板バネ６１の背後でかしめ固定される。操作つまみ６７１は９０度ずつ回転自在であり、雌部材７と直角方向に位置したときは、雌部材の中央スリット７３から抜け出ることができるが、外枠６６の長手方向に位置したときには、雌部材の中央スリット７３から抜け出ることができない。
【００２８】
操作つまみ６７１を９０度ずつ回転させるのはＵ字状針金バネ６３である。図５に示すように、操作部の四角柱状脚部６７２は、操作つまみ６７１が（ａ）又は（ｃ）のときにのみ安定し、（ｂ）のときには不安定である。
【００２９】
図６は、垂れ蓋延長部３１の位置調節を説明するための断面図である。いずれも、雌雄部材６，７を係合し、操作つまみ６７１を外枠６６の長手方向に回転させて、両者を係合させた状態である。（ａ）では、係合突起６５１が枝状スリット７４の一つ（図４における７４１）と係合している。この状態から指掛け部７１を摘んで矢印方向に引くと、係合突起６５１は雌部材の枝状スリット７４から外れて、（ｂ）のように、雌部材７の板状部に潜り込む。係合突起６５１の斜面には抵抗力がないからである。そして別の枝状スリット７４の一つ（図４における７４２）に達したとき、（ｃ）のように、この枝状スリットと係合する。係合突起６５１と枝状スリット７４が係合するたびに、金属同士が接触してカチカチという音を発する。
【００３０】
雄部材６の係合突起６５１と雌部材７の枝状スリット７４が係合するとき、係合突起６５１の斜面には抵抗力はないが、垂直面には抵抗力があるので、斜面の方向には雌部材７を移動させることができるが、垂直面の方向には移動させることができない。それをしようと思えば、いったん操作つまみ６７１を雌部材７の中央スリット７３から抜け出させて、最初から調節し直す必要がある。
【実施例２】
【００３１】
図７〜９は、本発明の第２実施例である。
【００３２】
第２実施例が第１実施例と異なるのは、係合部材６５Ａが１個ではなく、２個６５Ａ，６５Ｂ設けられており、それぞれの係合部材が係合突起６５１Ａ，６５１Ｂを有することである。その２個の係合部材６５Ａ，６５Ｂを収容するために、本体６２Ａには矩形開口６２３Ａ，６２３Ｂが２個設けられている。外枠６６Ａにもスリット６６３Ａ，６６３Ｂが２個設けられている。また、２個の係合部材６５Ａ，６５Ｂを上方向に付勢するために、板バネ６１Ａには両端に立ち上がり部６１２Ａ，６１２Ｂを設けている。
【００３３】
この第２実施例では、２個の係合突起６５１Ａ，６５１Ｂが同時に雌部材の２対の枝状スリット（例えば７４１Ａ及び７４３Ａ）に嵌合可能なように距離設定が行われる。
【００３４】
この第２実施例では、雌雄部材６Ａ，７Ａの係合が２個所で行われるため、係合の強度が第１実施例のときよりも遙かに強い。
【００３５】
その他、明記しない点については、第１実施例と同様であるので、その部品符号に「Ａ」を付して、詳細な説明を省略する。
【実施例３】
【００３６】
図１０、図１１は、本発明の第３実施例である。第１実施例との相違点を中心にして述べる。
【００３７】
図１０に示すように、雌部材７Ｃには、中央スリット７３Ｃはあるが、この中央スリットから左右に延びる枝状スリットはない。その代わりに、雌部材の左右長手方向側部に、半円筒状の延長部７５が形成されており、この延長部の遊端側に波状の切り込み７６が設けられている。この実施例では、波の数は５である。
【００３８】
雄部材６Ｃを形成するのは、第１実施例と同様に、７つの部材からなる。図１０において下から、バネ６１Ｃ、係合部材６５Ｃ、本体６２Ｃ、Ｕ字状針金バネ６３Ｃ、一対の丸形磁石６４Ｃ、外枠６６Ｃ、及び操作部材６７Ｃである。
【００３９】
バネ６１Ｃは、第１実施例と異なり、２本の線バネである。この線バネは、本体６２Ｃの底部にそれぞれ中央部が固定され、両端が上方向に付勢されている。
【００４０】
２本の線バネ６１Ｃの付勢力を受けるのは、２個の係合部材６５Ｃである。この係合部材６５Ｃはそれぞれ、金属又は合成樹脂片であり、底部に線バネ６１Ｃとの係合溝６５３を有し、上部に前記波状の切り込み７６と係合する係合突起６５４を有する。係合突起６５４は、断面が垂直面と斜面からなる三角形状である。
【００４１】
本体６２Ｃは、左右側部にスリット６２７を有する点と、線バネの固定部６２８を有することを除けば、ほぼ第１実施例と同じである。２個の係合部材６５Ｃは、前記線バネ６１Ｃの付勢力を受けて、本体６２Ｃのスリット６２７から係合突起６５４を突出させるが、係合突起上部の肩部６５５のために上方に抜け出すことはない（図１１参照）。
【００４２】
Ｕ字状針金バネ６３Ｃと一対の丸形磁石６４Ｃは、第１実施例と同じである。
【００４３】
外枠６６Ｃについては、長手方向に設けられていたスリット（図４の６６３）がなくなり、その代わりに、外枠６６Ｃの長手方向と垂直に２本のスリット６６４が設けられている。本体６２Ｃのスリット６２７から突出した係合突起６５４はこの外枠のスリット６６４からも突出する。そして、この係合突起６５４が雌部材の波状切り込み７６と選択的に係合する。
【００４４】
第３実施例は、係合個所が２個所あるので、第１実施例よりも丈夫である。なお、雌部材の波状切り込みについては、波状でなくても複数の四角状の切り込みでもよい。その他、明記しない点については、第１実施例と同様であるので、その部品符号に「Ｃ」を付して、詳細な説明を省略する。
【図面の簡単な説明】
【００４５】
【図１】本発明第１実施例の蓋止め具を装着したランドセルの底面の斜視図である。
【図２】本発明第１実施例の蓋止め具の拡大斜視図でる。
【図３】本発明第１実施例の蓋止め具において、操作つまみと本体を外した状態の分解斜視図である。
【図４】本発明第１実施例の分解斜視図である。
【図５】本発明第１実施例の操作つまみの状態を示す横断面図である。
【図６】本発明第１実施例の、垂れ蓋延長部の位置調節を説明するための断面図である。
【図７】本発明第２実施例の分解斜視図である。
【図８】本発明第２実施例の係合状態を示す斜視図である。
【図９】本発明第２実施例の、垂れ蓋延長部の位置調節を説明するための断面図である。
【図１０】本発明第３実施例の分解斜視図である。
【図１１】本発明第３実施例の係合状態を示す斜視図である。
【符号の説明】
【００４６】
１     ランドセル
２     ランドセル本体
３     垂れ蓋
４     ストラップ
６，６Ａ，６Ｃ       雄部材
６３，６３Ａ，６３Ｃ Ｕ字状針金バネ
６４，６４Ａ，６４Ｃ 丸形磁石
６５Ａ，６５Ｂ       ，６５Ｃ  係合部材
６１，６１Ａ，６１Ｃ 弾性体（バネ）
６１２，６１２Ａ，６１２Ｂ  立ち上がり部
６２，６２Ａ，６２Ｃ 本体
６２２ 収納スペース
６２３，６２３Ａ，６２３Ｂ  矩形開口
６２４ 貫通孔
６２５ 突起
６２７ スリット
６５，６５Ａ  係合部材
６５１，６５１Ａ，６５１Ｂ  係合突起
６５２ 肉厚部
６６，６６Ａ  外枠
６６１，６６１Ａ     接続部材
６６２，６６２Ａ     貫通孔
６６３，６６３Ａ     スリット
６６４        スリット
６７，６７Ａ，６７Ｃ  操作部材
６７２，６７２Ａ     四角柱状脚部
６７３ 円柱状先端
６２３Ａ，６２３Ｂ   矩形開口
７，７Ａ，７Ｃ       雌部材
７１，７１Ａ，７１Ｃ 指掛け部
７２，７２Ａ  連結部
７３，７３Ａ，７３Ｃ  中央スリット
７４，７４Ａ  枝状スリット
７６  波状スリット
【図１】
0005284713.tif 000002
【図２】
0005284713.tif 000003
【図３】
0005284713.tif 000004
【図４】
0005284713.tif 000005
【図５】
0005284713.tif 000006
【図６】
0005284713.tif 000007
【図７】
0005284713.tif 000008
【図８】
0005284713.tif 000009
【図９】
0005284713.tif 000010
【図１０】
0005284713.tif 000011
【図１１】
0005284713.tif 000012